(57)【要約】      （修正有）【課題】回路の部品点数と消費電力を抑えながら、発光デバイスの輝度を制御する。【解決手段】第１の筐体と、前記第１の筐体に対して開閉可能に連結された第２の筐体を備えた電子機器において、前記第２の筐体が前記第１の筐体に対して閉じた状態にある場合に、発光手段によって発光された光の明るさを検出し、検出された光の明るさに応じて前記発光手段の輝度を制御する。【選択図】図２
2009081798.tif 000002
【特許請求の範囲】
【請求項１】
第１の筐体と、前記第１の筐体に対して開閉可能に連結された第２の筐体とを備えた電子機器において、
前記第２の筐体が、前記第１の筐体に対して閉じた状態にあるか否かを検出する検出手段と、
前記第１の筐体に設けられた発光手段と、
前記発光手段の輝度を制御する輝度制御手段と、
前記発光手段によって発光された光の明るさを検出する受光手段と、
を備え、
前記第２の筐体が前記第１の筐体に対して閉じた状態にあることを前記検出手段が検出した場合に、
前記受光手段は前記発光手段によって発光された光の明るさを検出し、
前記輝度制御手段は、前記受光手段によって検出された光の明るさに応じて、前記発光手段の輝度を制御することを特徴とする電子機器。
【請求項２】
前記輝度制御手段は、前記受光手段が検出した光の明るさが所定の値より小さい場合は、前記発光手段の輝度を所定の値以上に制御することを特徴とする請求項１記載の電子機器。
【請求項３】
前記輝度制御手段は、前記発光手段に印加されている電圧又は電流を制御することにより、前記発光手段の輝度を制御することを特徴とする請求項１乃至請求項２記載の電子機器。
【請求項４】
前記第２の筐体が前記第１の筐体に対して閉じた状態から開いた状態になった回数を記憶する回数記憶手段を更に備え、
前記受光手段は、前記回数記憶手段に記憶された回数が所定の回数に達した場合に又は前記回数記憶手段に記憶された回数が所定の回数を超えた場合に、前記発光手段によって発光された光の明るさを検出することを特徴とする請求項１乃至３記載の電子機器
【請求項５】
前記回数記憶手段は、前記検出手段の検出が閉じた状態から閉じていない状態なった回数を記憶することにより、前記第２の筐体が前記第１の筐体に対して閉じた状態から開いた状態になった回数を記憶することを特徴とする請求項４記載の電子機器。
【請求項６】
前記発光手段は、前記回数記憶手段が記憶した回数が所定の回数に達した場合において、前記第２の筐体が前記第１の筐体に対して閉じていない状態から閉じた状態になったことを前記検出手段が検出したときに、発光することを特徴とする請求項４記載の電子機器。
【請求項７】
前記受光手段は、前記第２の筐体に設けられ、更に、前記第２の筐体が前記第１の筐体に対して閉じた状態にある場合に、前記発光手段と対向した位置に設けられていることを特徴とする請求項１乃至請求項６記載の電子機器。
【発明の詳細な説明】
【技術分野】
【０００１】
本発明は、発光デバイスを備えた電子機器に関する。
【背景技術】
【０００２】
携帯電話機等の電子機器は、暗所でも使用者がキー操作を誤らないように、操作キーの背面には発光デバイスが備えられている。そして、操作キーの背面に備えられた発光デバイスは、電子機器に備えられた受光デバイスが検出した周囲の明るさに応じて、操作キーを照らす。そのため、使用者は暗所にいる場合でも、キー操作を誤ることなく操作ができる。そして、発光デバイスに用いられるデバイスとして、有機ＥＬ（organic  Light  Emitting  Diode）、ＬＥＤ（Light  Emitting  Diode）が知られている。特に有機ＥＬはＬＥＤに比べて厚みが薄いため、発光デバイスとして有機ＥＬを用いた場合には、携帯端末の小型化・薄型に貢献することが知られている。
【特許文献１】特開２００７-５０５９５号公報
【発明の開示】
【発明が解決しようとする課題】
【０００３】
有機ＥＬは、陽極の上に、有機材料からなる発光層を含む有機層、電子注入層、陰極が順次積層されて構成されている。有機層は一般的に、陽極側から正孔注入層、正孔輸送層、発光層、電子輸送層が積層されて構成されている。そして、陽極と陰極との間に電圧を印加し、陽極からは正孔が、陰極からは電子がそれぞれ発光層へ向かって注入及び輸送され、これら正孔と電子が発光層にて再結合し、その再結合時のエネルギーにより発光するようになっている。
【０００４】
しかしながら、発光時間の経過によって有機材料が劣化する等の原因により、陽極から注入される正孔及び陰極から注入される電子の移動速度あるいは移動効率が変化して、発光層における正孔と電子との再結合量が低下して発光輝度が低下する。即ち、有機ＥＬは、発光時間に伴って輝度が低下していくという課題を有しており、有機ＥＬの輝度を一定に保つために、輝度の低下に応じて、有機ＥＬへの印加電流を変化させて対処する必要がある。
【０００５】
上記課題を解決するために、有機ＥＬの発光時間を計測し、発光時間に応じて印加電流を変化させることにより、有機ＥＬの輝度の低下を補正する技術が知られている。
【０００６】
しかしながら、発光時間を計測するための構成を備え、そして有機ＥＬの発光時間を常に計測する必要があるため、電子機器においては回路の構成が増えるとともに、消費電力が増えるという課題が生じていた。
【課題を解決するための手段】
【０００７】
上記課題を解決するために本発明は、第１の筐体と、前記第１の筐体に対して開閉可能に連結された第２の筐体とを備えた電子機器において、前記第２の筐体が、前記第１の筐体に対して閉じた状態にあるか否かを検出する検出手段と、前記第１の筐体に設けられた発光手段と、前記発光手段の輝度を制御する輝度制御手段と、前記発光手段によって発光された光の明るさを検出する受光手段とを備え、前記第２の筐体が前記第１の筐体に対して閉じた状態にあることを前記検出手段が検出した場合に、前記受光手段は前記発光手段によって発光された光の明るさを検出し、前記輝度制御手段は、前記輝度検出手段によって検出された光の明るさに応じて、前記発光手段の輝度を制御することを特徴とする。
【０００８】
この局面に従えば、発光手段によって発光された光の明るさを電子機器の開閉動作に応じて検出し、検出された光の明るさに応じて輝度を制御するので、発光時間に伴い輝度が低下した場合に、前記発光手段の輝度を補正することが可能である。
【０００９】
また、本発明は、前記輝度制御手段において、前記受光手段が検出した光の明るさが所定の値より小さい場合は、前記発光手段の輝度を所定の値以上に制御することを特徴とする。好ましくは、前記輝度制御手段は、前記発光手段に印加されている電圧又は電流を制御することにより、前記発光手段の輝度を制御することを特徴とする。
【００１０】
この局面に従えば、前記輝度検出手段により検出された光の明るさが所定の値より小さい場合は、前記発光手段に印加されている電圧値又は電流値を上げることにより、前記発光手段の輝度を所定の値以上に補正する。そのため、発光時間に伴い輝度が低下した場合でも、前記発光手段の輝度を一定の値以上に保つことが可能である。
【００１１】
また、本発明は、前記第２の筐体が前記第１の筐体に対して閉じた状態から開いた状態になった回数を記憶する回数記憶手段を更に備えることにより、前記受光手段において、前記回数記憶手段に記憶された回数が所定の回数に達した場合に又は前記回数記憶手段に記憶された回数が所定の回数を超えた場合に、前記発光手段によって発光された光の明るさを検出することを特徴とする。好ましくは、前記回数記憶手段は、前記検出手段の検出が閉じた状態から閉じていない状態になった回数を記憶することにより、前記第２の筐体が前記第１の筐体に対して閉じた状態から開いた状態になった回数を記憶する。
【００１２】
この局面に従えば、前記受光手段は、前記発光手段により発光された光の明るさの検出を、所定の開閉回数に応じて行う。そのため、開閉を行う度に前記発光手段により発光された光の明るさの検出を行なう場合と比べて、検出回数を抑えることが可能となる。従って、検出回数を抑えるので、前記受光手段による光の明るさを検出するのに必要な消費電力を節減することが可能となる。
【００１３】
また、本発明は、前記発光手段において、前記回数記憶手段が記憶した回数が所定の回数に達した場合に又は前記回数記憶手段に記憶された回数が所定の回数を超えた場合は、前記第２の筐体が前記第１の筐体に対して閉じていない状態から閉じた状態になったことを前記検出手段が検出したときに、発光することを特徴とする。
【００１４】
この局面に従えば、電子機器が開いた状態において、前記回数記憶手段が記憶した回数が所定の回数を達した場合に又は前記回数記憶手段に記憶された回数が所定の回数を超えた場合は、第２の筐体が閉じたときに発光するので、例えば電子機器を利用している周辺の環境が明るいことにより発光手段が発光していない場合においても、前記受光手段は、前記発光手段が発光した光を検出することが可能となる。
【００１５】
また、本発明は、前記輝度検出手段において、前記第２の筐体に設けられ、更に、前記第２の筐体が前記第１の筐体に対して閉じた状態にある場合に、前記発光手段と対向した位置に設けられていることを特徴とする。
【００１６】
この局面に従えば、電子機器が閉じた状態になった場合に、前記発光手段と対向した位置に設けられているので、前記受光手段は、前記発光手段が発光した光を効率よく受光できる。これにより、前記受光手段が前記第２の筐体の他の位置に設けられている場合と比較して、精度よく光の明るさを検出することが可能となる。
【発明の効果】
【００１７】
有機ＥＬなど、発光時間に応じて輝度が低下していく発光デバイスを利用した場合に、電子機器の開閉動作に応じて、受光手段によって発光デバイスからの光の明るさを検出する。そして、検出された光の明るさに応じて、発光デバイスの輝度の制御を行う。
【００１８】
このため、発光デバイスの発光時間を計測する必要がなく、そして発光時間を計測する回路を必要としない。従って、回路の部品点数と消費電力を抑えながら、発光デバイスの輝度を制御することが可能となる。
【発明を実施するための最良の形態】
【００１９】
以下、本発明に係る電子機器の一実施例の形態である携帯電話機について、図１乃至図５を用いて説明する。
【００２０】
図１は、本発明の一実施例の形態である携帯電話機１の外観の例を示している。携帯電話機１は、上部筐体２と下部筐体４とがヒンジ部３で接続されている折り畳み式携帯電話機である。図１（ａ）は、上部筐体２が下部筐体４に対して開いた状態を正面から見た図である。図１（ｂ）は、上部筐体２が下部筐体４に対して開いた状態を背面から見た図である。
【００２１】
図２は本発明の一実施例の形態である携帯電話機１の概略構成図である。携帯電話機１は、アンテナ１１と接続された通信部１２と、記憶部１３と、開閉検出部１５と、カメラ装置９と、受光部１０と、ディスプレイ５への表示を制御するための表示制御部１６と、音声制御部１７と、操作キー群７を介して使用者の操作を受け付ける操作部１９と、制御部２０とで構成されている。
【００２２】
通信部１２は、制御部２０によって制御され、他局と通信を行う。通信部１２はアンテナ１１から受け取った受信信号を受話音声信号及び受信データ信号に復調する。次に通信部１２は、復調した受話音声信号を音声制御部１７に、そして受信データ信号を制御部２０に出力する。また通信部１２は、音声制御部１７でＡ／Ｄ変換された送話音声信号と制御部２０から与えられる送信データ信号とを変調したのちに、アンテナ１１から出力する機能を有する。
【００２３】
記憶部１３は、回数記憶手段１４を含んで構成される。携帯電話機１の動作上必要な各種データやプログラムなどを記憶する機能を有する。また、記憶部１３は音楽データや画像データなどを記憶する機能も有する。記憶部１３はＲＯＭ（Read Only Memory）とＲＡＭ（Random Access Memory）とを含んで構成される。記憶部１３は小型ハードディスクや不揮発性メモリなどを含んでいてもよい。また、回数記憶手段１４は、制御部２０の指示により、後述する開閉検出部１５の出力に基づいて、携帯電話機１の開閉回数を記憶する機能を有する。
【００２４】
開閉検出部１５は、制御部２０からの指示により、上部筐体２が下部筐体４に対して閉じている状態にあるか、又は開いている状態にあるかどうかを判断する。図３は、磁石２２と磁石センサ２３との関係を説明する為の説明図である。開閉検出部１５は、図３に示されるように、上部筐体２に設けられた磁石２２と、下部筐体４に設けられた磁気センサ２３とで構成される。上部筐体２が閉じた状態の場合は、磁石２２と磁気センサ２３とが最接近する。接近に伴い、磁気センサ２３が磁石２２の磁気を検出した場合、開閉検出部１５は、上部筐体２は下部筐体４に対して閉じた状態にあると判断する。逆に、磁気センサ２３が磁石２２の磁気を検出していない場合は、開閉検出部１５は、上部筐体２は下部筐体４に対して閉じていない状態、つまり、開いた状態にあると判断する。そして、開閉検出部１５は、判断の結果を制御部２０へと出力する。
【００２５】
受光部１０は、制御部２０からの指示により、受光部１０に照射されている光のエネルギーを電流に変換する。そして、受光部１０は、変換された電流の値を制御部２０へと出力する。制御部２０は、受光部１０から出力された電流値に基づいて、受光した光の明るさを検出する。光の明るさとは、照度、輝度などの測光量のことである。記憶部１３には、受光部１０によって変換された電流値と測光量とを対応させた測光量テーブルが記憶されている。制御部２０は、受光部１０により出力された電流値を、記憶部１３に記憶されている測光量テーブルを参照することにより、光の明るさを検出する。受光部１０は、フォトダイオード、フォトトランジスタ、フォトＩＣなどで実現される。また、受光部１０は、発光部１９が発光した光を効率よく受光するために、上部筐体２が下部筐体４に対して閉じた状態にある場合に、発光部１９と対向する場所に設けられているのが望ましい。
【００２６】
表示制御部１６は、制御部２０から入力される指示に従ってディスプレイ５を制御することにより、ディスプレイ５に画像を表示させる。ディスプレイ５に表示させる画像は、動画像と静止画像とを含む。
【００２７】
音声制御部１７は、通信部１２から出力された受話音声信号をＤ／Ａ変換してスピーカ６に出力する機能と、マイクロホン８から取得した送話音声信号をＡ／Ｄ変換した信号を通信部１２に出力する機能とを有する。
【００２８】
操作部１８は、操作キー群７と発光部１９を含んで構成される。
【００２９】
操作キー群７は、テンキー、オンフックキー、オフフックキー、方向キー、決定キー、メールキーなどのキー群を含み、使用者の操作を受け付け、受け付けた操作を制御部２０に出力する。
【００３０】
発光部１９は、有機ＥＬであり、制御部２０の制御に応じて発光する機能を有する。
【００３１】
制御部２０は、携帯電話機１の各部を制御する機能を有する。また、制御部２０は輝度制御手段２１を含んで構成される。制御部２０は、受光手段１０が出力した電流値又は電流値に基づいて検出した測光値を、輝度制御手段２１へと出力する機能を更に有する。
【００３２】
輝度制御手段２１は、発光部１９の輝度を制御する機能を有する。輝度制御手段２１は、制御部２０から出力された値と基準値とを比較する。輝度制御手段２１は、制御部２０から出力された値が基準値より小さい場合は、発光部１９に印加されている電流値を上げることにより、発光部１９の輝度を上げる。
【００３３】
輝度制御手段２１を使用する場合における基準値は、実験などによって定めることができる。例えば、発光部１９の輝度が低下していない場合に、発光部１９が発光した光の明るさを検出し、検出された値に対して３０％低減させた値を基準値としても良い。
【００３４】
尚、ディスプレイ５とスピーカ６とカメラ装置９と受光部１０とは、上部筐体２に設けられている。また、マイク８と操作キー群７とは、下部筐体４に設けられている。
【００３５】
次に、本実施の形態における発光部１９の輝度制御に関する処理動作を、フローチャートを用いて説明する。
【００３６】
図４は、受光部１０を用いて、発光部１９によって発光された光の明るさを検出するフローチャートである。
【００３７】
制御部２０は、開閉検出部１５を介して、上部筐体２が下部筐体４に対して閉じた状態にあるか否かを検出している（Ｓ０１）。制御部２０は、開閉検出部１５を介して、上部筐体２が下部筐体４に対して閉じた状態にあると検出している場合（Ｓ０１のＹＥＳ）は、上部筐体２が下部筐体４に対して開いた状態になったか否かを検出する（Ｓ０２）。ここで、上部筐体２が下部筐体４に対して開いた状態になったとは、磁気センサ２３によって検出されていた磁石２２の磁気が検出されなくなったことをいう。
【００３８】
次に、制御部２０は、開閉検出部１５を介して、上部筐体２が下部筐体４に対して開いた状態になったことを検出した場合は（Ｓ０２のＹＥＳ）、回数記憶手段１４に記憶されている開閉回数に１を足すことにより、回数記憶手段１４に記憶されている開閉回数を更新する（Ｓ０３）。
【００３９】
次に、制御部２０は、開閉検出部１５を介して、上部筐体２が下部筐体４に対して閉じた状態になったか否かを検出する（Ｓ０４）。制御部２０は、開閉検出部１５を介して、上部筐体２が下部筐体４に対して閉じた状態になった場合は（Ｓ０４のＹＥＳ）、回数記憶手段１４に記憶されている回数が、所定の回数に達したかを判断する（Ｓ０５）。所定の回数とは任意に定めることができる数値であり、例えば１０００回等である。本実施の形態ではｎ回とする。
【００４０】
次に、制御部２０は、回数記憶手段１４に記憶されている回数がｎ回に達している場合は（Ｓ０５のＹＥＳ）、発光部１９が発光しているか否かを検出する（Ｓ０６）。制御部２０は、回数記憶手段１４に記憶されている回数がｎ回に達していない場合は（Ｓ０５のＮＯ）、開閉検出部１５を介して、上部筐体２が下部筐体４に対して開いた状態になったか否かを検出する。
【００４１】
次に、制御部２０は、発光手段１９が発光している場合は（Ｓ０６のＹＥＳ）、発光部１９によって発光された光のエネルギーに基づく電流値を受光部１０に検出させる（Ｓ０７）。制御部２０は、発光部１９が発光していない場合は（Ｓ０６のＮＯ）、発光部１９を発光させ（Ｓ１１）、発光部１９によって発光された光のエネルギーに基づく電流値を受光部１０に検出させる（Ｓ０７）。そして、制御部２０は、受光部が検出した電流値に基づき、発光部１９によって発光された光の明るさを検出する（Ｓ０８）。制御部２０は、光の明るさを検出したのちに、回数記憶手段１４に記憶されている回数をリセットする（Ｓ０８）。
【００４２】
次に、発光部１９により発光された光の明るさを検出した後から、発光部１９の輝度の制御を、図５のフローチャートを用いて説明する。
【００４３】
輝度制御手段２１は、制御部２０が検出した光の明るさを受け、その明るさが基準値より小さいか否かを判断する（Ｓ２１）。輝度制御手段２１は、制御部２０によって検出された光の明るさが基準値より小さい場合は（Ｓ２１のＹＥＳ）、発光部１０に印加されている電流値を上げることにより、発光部１９の輝度を上げる（Ｓ２２）。制御部２０は、輝度制御手段２１が発光部１９の輝度を上げた後に発光部１９が発光している場合は（Ｓ２３のＹＥＳ）、受光部１０に発光部１９によって発光された光のエネルギーに基づく電流値を検出させる（Ｓ２４）。制御部２０は、発光部１９が発光していない場合は（Ｓ２３のＮＯ）、発光部１９を発光させ（Ｓ３２）、受光部１０に発光部１９によって発光された光のエネルギーに基づく電流値を検出させる（Ｓ２４）。そして、制御部２０は、受光部１０が検出した電流値に基づき、発光部１９によって発光された光の明るさを再度検出する（Ｓ２４）。輝度制御手段２１は、受光部１０が検出した光の明るさが基準値以上の場合は、発光部１９の輝度制御を終了する（Ｓ２１のＮＯ）。
【００４４】
以上の処理動作により、携帯電話機１の開閉回数がｎ回に達した場合に、発光部１９によって発光された光の明るさに基づいて発光部１９の輝度が制御される。その為、発光時間とともに発光部１９の輝度が低下した場合にでも輝度を基準値以上に制御することが可能となる。
【００４５】
尚、本実施の形態では、回数記憶手段１４に記憶されている回数がｎ回に達した場合に、発光部１９が発光した光を受光部１０が受光することで記載しているが、必ずしも回数記憶手段１４に記憶されている回数がｎ回に達した場合に限られるわけでなく、回数記憶手段１４に記憶されている回数がｎ回を超えた場合に、発光部１９が発光した光の明るさを受光部１０が検出することとしてもよい。
【００４６】
また、本実施の形態では、開閉の検出方法として、磁石２２と磁気センサ２３とを用いた方法で記載しているが、下部筐体４にスイッチを設け、開閉検出部１５は、上部筐体２が閉じた状態になることにより、スイッチが押されたことを検出した場合に、上部筐体２が下部筐体４に対して閉じた状態にあると判断することとしても良い。
【００４７】
更にまた、光の明るさとは、電流値によって求められる測光量と記載しているが、電流値と測光量とを対応させることなしに、受光部１０による電流値を光の明るさとして用いることも可能である。また、電流値以外に、受光部１０が光を受光した場合に生じる起電力、又は電流値と起電力とから求められる抵抗値を、受光した光の明るさとして用いてもよい。
【００４８】
更にまた、本実施の形態では、受光部１０は上部筐体２に設けることで記載しているが、必ずしも受光部１０は上部筐体２に設ける場合に限られるわけではなく、下部筐体４に設け、発光部１９の発光する光の明るさを検出可能な位置に設けることとしてもよい。
【００４９】
更にまた、本実施の形態では、携帯電話機１は折り畳み式の携帯電話の場合で記載しているが、必ずしも、携帯電話機１は折り畳み式の携帯電話機に限られるわけではなく、スライド式の携帯電話機でもよい。
【００５０】
更にまた、本実施の形態では、発光部１９として有機ＥＬを用いた場合で記載しているが、必ずしも有機ＥＬに限られるわけではなく、無機ＥＬ（Inorganic  Electroluminescence）などの発光時間に応じて輝度が低下するデバイスに対しても本発明を適用することが可能である。そのため、本発明の範囲は、上述した説明ではなく、特許請求の範囲によって示され、特許請求の範囲と均等の意味および範囲内でのすべての変更が含まれることが意図される。
【００５１】
更にまた、本実施の形態では、輝度制御手段２１は、発光部１９に印加されている電流値を制御することを用いて、発光部１９の輝度を制御することを記載したが、必ずしも電流に限られるわけではなく、発光部１９に用いるデバイスに応じて、デバイスに印加されている電圧値を制御することにより、輝度を制御することとしてもよい。
【図面の簡単な説明】
【００５２】
【図１】携帯電話機の外観の一例を示した図である。また（ａ）は上部筐体２が下部筐体４に対して開いた状態を正面から見た図１（ｂ）は上部筐体２が下部筐体４に対して開いた状態を背面から見た図である。
【図２】本実施の形態における携帯電話機１の概略構成図である。
【図３】磁石２２と磁石センサ２３との関係を説明する為の説明図である。
【図４】本実施の形態における受光部１０を用いて、発光部１９によって発光された光の明るさを検出する処理動作を示したフローチャートである。
【図５】本実施の形態における輝度を制御する処理動作を示したフローチャートである。
【符号の説明】
【００５３】
１      携帯電話機
２      上部筐体
３      ヒンジ部
４      下部筐体
５      ディスプレイ
６      スピーカ
７      操作キー群
８      マイク
９      カメラ装置
１０    受光部
１１    アンテナ
１２    通信部
１３    記憶部
１４    回数記憶手段
１５    開閉検出部
１６    表示制御部
１７    音声制御部
１８    操作部
１９    発光部
２０    制御部
２１    輝度制御手段
２２    磁石
２３    磁気センサ
【図２】
2009081798.tif 000003
【図１】
2009081798.tif 000004
【図３】
2009081798.tif 000005
【図４】
2009081798.tif 000006
【図５】
2009081798.tif 000007